【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】  
超音波システムであって、以下：
近位部分および遠位部分を有するカテーテルであって、該遠位部分は、患者の脈管系に挿入するために構成されている、カテーテル；
該カテーテルの該遠位部分に位置付けられた、超音波変換器アセンブリであって、第１の横方向の二次元画像フレームのスライスについてのエコーからの第１のＡ走査画像データセット、および、第２の横方向の二次元画像フレームスライスについてのエコーからの第２のＡ走査画像データセットのための信号を発生するように構成されている、超音波変換器アセンブリ；
該カテーテルの該遠位部分の、該超音波変換器アセンブリの近くに位置付けられた、位置追跡デバイスであって、Ａ走査画像データセットに対応する、横方向の二次元画像フレームスライスの配向を示す信号を発生することを容易にするように構成されている、位置追跡デバイス；
該横方向の二次元画像フレームスライスの該配向を示す該信号の少なくとも１つを使用して、該第１のＡ走査画像データセットおよび第２のＡ走査画像データセットの各々についての該エコーの獲得の間に、該超音波変換器アセンブリの空間位置を構成するための処理ユニット；ならびに
該第１のＡ走査画像データセットおよび第２のＡ走査画像データセットの各々についての該エコーの獲得の間に、該超音波変換器アセンブリの該空間位置に基づいて、該脈管系の一部の、画像情報および位置情報の両方を含むビューを提供する、グラフィックディスプレイインターフェース
を備える、超音波システム。
【請求項２】  
前記位置追跡デバイスが、ジャイロスコープを備える、請求項１に記載の超音波システム。
【請求項３】  
前記位置追跡デバイスが、加速度計を備える、請求項１に記載の超音波システム。
【請求項４】  
前記Ａ走査画像データセットに対応する前記横方向の二次元画像フレームスライスの前記配向が、前記超音波変換器により受容されるエコーの変化を検出することによって決定される、請求項１に記載の超音波システム。
【請求項５】  
前記位置追跡デバイスが、印加した磁場と相互作用する１セットのコイルを備える、請求項１に記載の超音波システム。
【請求項６】  
前記第１および第２のフレームスライスについての前記第１および第２のＡ走査画像データセットが、ＥＣＧを参照して獲得される、請求項１に記載の超音波システム。
【請求項７】  
前記第１および第２のＡ走査画像データセットが、拡張期に得られるデータから作成される、請求項６に記載の超音波システム。
【請求項８】  
前記超音波変換器アセンブリが、超音波変換器の位相アレイを備える、請求項１に記載の超音波システム。
【請求項９】  
前記超音波変換器アセンブリが、手動で引き戻される、請求項１に記載の超音波システム。
【請求項１０】  
前記超音波変換器アセンブリを引くことを容易にする、モーター式の引き戻しデバイスをさらに備える、請求項１に記載の超音波システム。
【請求項１１】  
前記超音波変換器アセンブリを、手で引くことを容易にする、外部引き戻しデバイスをさらに備える、請求項１に記載の超音波システム。
【請求項１２】  
超音波システムであって、以下：
近位部分および遠位部分を有するカテーテルであって、該遠位部分は、患者の脈管系に挿入するために構成されている、カテーテル；
該カテーテルの該遠位部分に位置付けられた、超音波変換器アセンブリ；
該カテーテルの該遠位部分の該超音波変換器アセンブリの近くに位置付けられた位置追跡デバイスであって、該カテーテルの該遠位端の配向を示す該信号の第２のデータセットを生成し、該カテーテルの該遠位端の軌道ベクトル方向を提供する、位置追跡デバイス；
該カテーテルの近位端の距離を示す信号の第１のデータセットを生成する、変位追跡デバイスであって、該患者の外側にある該カテーテルの近位端が、参照点を通過して移動し、該カテーテルの該近位端のスカラー軌道長を提供する、変位追跡デバイス；
該第１および第２のデータセットを組み合わせて、該カテーテルの該遠位端の経路の表示を構成するための処理ユニット；ならびに
該カテーテルの該遠位端の経路の該表示に部分的に基づいて、該脈管系の一部の、画像情報および位置情報の両方を含むビューを提供する、グラフィックディスプレイインターフェース
を備える、超音波システム。
【請求項１３】  
前記位置追跡デバイスが、ジャイロスコープを備える、請求項１２に記載の超音波システム。
【請求項１４】  
前記位置追跡デバイスが、加速度計を備える、請求項１２に記載の超音波システム。
【請求項１５】  
前記位置追跡デバイスが、印加した磁場と相互作用する１セットのコイルを備える、請求項１２に記載の超音波システム。
【請求項１６】  
前記画像情報が、ＥＣＧを参照して獲得される、請求項１２に記載の超音波システム。
【請求項１７】  
前記画像情報が、拡張期に得られる超音波エコーから作成される、請求項１６に記載の超音波システム。
【請求項１８】  
前記超音波変換器アセンブリが、超音波変換器の位相アレイを備える、請求項１２に記載の超音波システム。
【請求項１９】  
前記超音波変換器アセンブリが、手動で引き戻される、請求項１２に記載の超音波システム。
【請求項２０】  
前記超音波変換器アセンブリを引くことを容易にする、モーター式の引き戻しデバイスをさらに備える、請求項１２に記載の超音波システム。
【請求項２１】  
前記超音波変換器アセンブリを、手で引くことを容易にする、外部引き戻しデバイスをさらに備える、請求項１２に記載の超音波システム。
【請求項２２】  
少なくともカテーテルの遠位部分に設置された超音波変換器デバイスの近くに位置付けられた、位置追跡デバイスによって提供される信号に基づいて、体内からビューを提供する方法であって、該方法は、以下：
第１の横方向の二次元画像フレームスライスについてのエコーに対応する該超音波変換器デバイスの信号から、第１のＡ走査画像データセットを提供する工程；
第２の横方向の二次元画像フレームスライスについてのエコーに対応する該超音波変換器デバイスの信号から、第２のＡ走査画像データセットを提供する工程；
該第１および第２のＡ走査画像データセットの各々についての、横方向の二次元画像フレームスライスの配向を示す信号を提供する工程；
少なくとも横方向の二次元画像フレームスライスの該配向を示す該信号を使用して、該第１および第２のＡ走査画像データセットの各々に対応する該画像フレームスライスの位置を構成する工程；ならびに
該画像フレームスライスの位置と、該第１のＡ走査画像データセットおよび該第２のＡ走査画像データセットとの組み合わせに基づいて、該脈管系の一部の、画像情報および位置情報の両方を含む合成ビューを与える工程
を包含する、方法。
【請求項２３】  
前記位置追跡デバイスが、ジャイロスコープを備える、請求項２２に記載の方法。
【請求項２４】  
前記位置追跡デバイスが、加速度計を備える、請求項２２に記載の方法。
【請求項２５】  
前記Ａ走査画像データセットに対応する前記横方向の二次元画像フレームスライスの前記配向が、前記超音波変換器により受容されるエコーの変化を検出することによって決定される、請求項２２に記載の方法。
【請求項２６】  
前記位置追跡デバイスが、印加した磁場と相互作用する１セットのコイルを備える、請求項２２に記載の方法。
【請求項２７】  
前記第１および第２のフレームスライスについての前記第１および第２のＡ走査画像データセットが、ＥＣＧを参照して提供される、請求項２２に記載の方法。
【請求項２８】  
前記第１および第２のＡ走査画像データセットが、拡張期に生成されるエコーに対応する、請求項２７に記載の方法。
【請求項２９】  
前記超音波変換器アセンブリが、超音波変換器の位相アレイを備える、請求項２２に記載の方法。
【請求項３０】  
前記超音波変換器アセンブリが、手動で引き戻される、請求項２２に記載の方法。
【請求項３１】  
前記超音波変換器アセンブリが、モーター式の引き戻しデバイスを使用して引き戻される、請求項２２に記載の方法。